(57)【要約】  本発明で提案しているローカルボックス事業者間のバナー広告の共有が可能なローカルボックス広告サービスシステムによれば、それぞれのローカルボックス事業者間でバナー広告の共有が行われることにより、ローカルボックスに表示されるバナー広告を容易に管理することができ、バナー広告の共有を介して複数のローカルボックスにバナー広告が表示されて広告効果を高めることができる。
2021502642.tif 000002
【特許請求の範囲】
【請求項１】
第１ローカルボックス及び第２ローカルボックスを含むローカルボックスにバナー広告を提供するローカルボックス広告サービスシステムにおいて、
前記第１ローカルボックスに表示されるバナー広告を前記第２ローカルボックスに表示するバナー広告共有サービスを提供するサービス提供サーバを含み、
前記サービス提供サーバは、
前記ローカルボックスにバナー広告として表示されるコンテンツ及びローカルボックスコードの入力を受けて格納するデータベースモジュールと、
前記第１ローカルボックスに表示されるバナー広告のうち、前記第２ローカルボックスの事業者によって選択される共有要求バナー広告に対する共有要求イベントの発生時に、前記第１ローカルボックスから前記共有要求バナー、及び前記共有要求バナーが共有される第２ローカルボックスのローカルボックスコードを含む共有要求を受信する共有要求受信モジュールと、
前記共有要求受信モジュールが前記共有要求を受信する場合、前記データベースモジュールから、前記第１ローカルボックスに提供する前記共有要求バナー広告を検索する検索モジュールと、
前記データベースモジュールから前記検索モジュールが検索した前記共有要求バナー広告を、前記共有要求受信モジュールが受信した前記ローカルボックスコードに応じて前記第２ローカルボックスに提供する広告提供モジュールと、
前記第１ローカルボックスの事業者から承認を得て前記共有要求バナー広告に対する共有要求を承認する共有要求承認モジュールと、
を含むことを特徴とするローカルボックス事業者間のバナー広告の共有が可能なローカルボックス広告サービスシステム。
【請求項２】
前記広告提供モジュールは、
前記ローカルボックスからバナー広告を選択するとき、前記バナー広告に対するリンクページを提供することを特徴とする、
請求項１に記載のローカルボックス事業者間のバナー広告の共有が可能なローカルボックス広告サービスシステム。
【請求項３】
前記共有要求イベントは、前記リンクページで発生することを特徴とする、
請求項２に記載のローカルボックス事業者間のバナー広告の共有が可能なローカルボックス広告サービスシステム。
【請求項４】
前記広告提供モジュールは、
前記第２ローカルボックスに提供するバナー広告が前記共有要求バナー広告に該当するか否かを表示することを特徴とする、
請求項１に記載のローカルボックス事業者間のバナー広告の共有が可能なローカルボックス広告サービスシステム。
【請求項５】
前記広告提供モジュールは、
前記共有要求バナー広告が共有された回数を表示することを特徴とする、
請求項４に記載のローカルボックス事業者間のバナー広告の共有が可能なローカルボックス広告サービスシステム。
【請求項６】
前記データベースモジュールは、
前記第１ローカルボックスに表示されるバナー広告の中から選択される少なくとも一つのバナー広告を含むブックマークを格納することを特徴とする、
請求項１に記載のローカルボックス事業者間のバナー広告の共有が可能なローカルボックス広告サービスシステム。
【請求項７】
前記共有要求バナー広告は、
前記データベースモジュールのブックマークに含まれているバナー広告の中から選択されることを特徴とする、
請求項６に記載のローカルボックス事業者間のバナー広告の共有が可能なローカルボックス広告サービスシステム。
【請求項８】
前記ブックマークは、
予め設定されたローカルボックスコードをさらに含むことを特徴とする、
請求項７に記載のローカルボックス事業者間のバナー広告の共有が可能なローカルボックス広告サービスシステム。
【請求項９】
前記データベースモジュールは、
広告主の位置と独立的な前記バナー広告の基準位置をさらに格納することを特徴とする、
請求項１に記載のローカルボックス事業者間のバナー広告の共有が可能なローカルボックス広告サービスシステム。
【発明の詳細な説明】
【技術分野】
【０００１】
本発明は、広告サービスシステム、具体的には、ローカルボックス事業者間のバナー広告の共有が可能なローカルボックス広告サービスシステムに、関する。
【背景技術】
【０００２】
一般に、ローカル広告は、新聞、雑誌、ラジオ及び放送などのマスメディアだけでなく、キオスク（Ｋｉｏｓｋ）などのデバイスにおいて提供されている。キオスクは、無人情報端末であって、マルチメディアを用いてユーザー（需要者）に効率よく情報を提供する無人総合情報案内システムである。このようなキオスクは、特定の地域に設置され、ユーザー（需要者）に該当地域に関する情報を提供しつつ、予め設定された広告を提供することができる。
【０００３】
一方、広告を提供する方法の中で、バナー（Ｂａｎｎｅｒ）広告は、最も一般な広告方法の一つである。コンテンツがディスプレイに表示されながら一部の領域に棒状の広告コンテンツが一緒に表示されるが、このような棒状の広告コンテンツがバナー広告に該当する。ユーザー（需要者）が広告コンテンツを見てバナー広告をクリックすると、当該バナー広告にリンクされている情報が表示される。このため、バナー広告は、自然にユーザー（需要者）に広告しようとする情報を提供することができる。
【０００４】
しかし、キオスクを利用したバナー広告の場合は、広告主の立場では、バナー広告ごとに、バナー広告として表示されるコンテンツを制作しなければならないという困難さがある。特に、キオスクを利用したバナー広告の場合は、広告主がそれぞれのキオスクごとに別個にバナー広告を提供しなければならない。さらに、それぞれのキオスクごとに出力フォーマットが異なるので、広告主がバナー広告を個別に当該キオスクの出力フォーマットに合わせて修正してキオスクに提供しなければならないという問題点がある。
【０００５】
また、キオスクオーナー（Ｏｗｎｅｒ）の立場でも、キオスクに表示されるコンテンツを埋めるために、キオスクに表示される複数のバナー広告を選択しなければならないとう困難さがある。このとき、キオスクオーナーは、それぞれの広告主を介して個別にバナー広告の提供を受けなければならない。特に、キオスクオーナーが、他のキオスクに表示されるバナー広告を見て当該バナー広告を自分のキオスクにも表示しようとする場合には、他のキオスクオーナーと当該バナー広告の広告主から同意を得なければならないので、その手続きが非常に面倒で複雑であるという問題点があった。
【０００６】
当該技術分野に関連する先行技術として、韓国特許第１０−１３２６６８４号の「キオスクを利用した地元のお店のマーケティング方法及びシステム」などが提案されている。
【発明の概要】
【発明が解決しようとする課題】
【０００７】
本発明は、従来提案された方法の上述した問題点を解決するために提案されたものである。その目的は、以下のようなローカルボックス事業者間のバナー広告の共有が可能なローカルボックス広告サービスシステムを、提供することにある。このローカルボックス事業者間のバナー広告の共有が可能なローカルボックス広告サービスシステムでは、それぞれのローカルボックス事業者間でバナー広告の共有が行われる。これにより、ローカルボックスに表示されるバナー広告を容易に管理することができる。また、このローカルボックス事業者間のバナー広告の共有が可能なローカルボックス広告サービスシステムでは、バナー広告の共有を介して複数のローカルボックスにバナー広告が表示されて広告効果を高めることができる。
【０００８】
また、本発明の他の目的は、以下のようなローカルボックス事業者間のバナー広告の共有が可能なローカルボックス広告サービスシステムを、さらに提供することにある。このローカルボックス事業者間のバナー広告の共有が可能なローカルボックス広告サービスシステムでは、一つのプラットフォーム上において、ローカルボックス間で同じ出力フォーマットのバナー広告の共有が行われる。これにより、広告主の立場では、バナー広告をそれぞれのローカルボックスの出力フォーマットに合わせて修正する必要がなく、ローカルボックス事業者の立場でも、ローカルボックスに表示されるバナー広告を便利に選択することができる。
【課題を解決するための手段】
【０００９】
上記目的を達成するために、本発明の特徴によるローカルボックス事業者間のバナー広告の共有が可能なローカルボックス広告サービスシステムは、
第１ローカルボックス及び第２ローカルボックスを含むローカルボックスにバナー広告を提供するローカルボックス広告サービスシステムにおいて、
前記第１ローカルボックスに表示されるバナー広告を前記第２ローカルボックスに表示するバナー広告共有サービスを提供するサービス提供サーバを含み、
前記サービス提供サーバは、
前記ローカルボックスにバナー広告として表示されるコンテンツ及びローカルボックスコードの入力を受けて格納するデータベースモジュールと、
前記第１ローカルボックスに表示されるバナー広告の中から選択される共有要求バナー広告に対する共有要求イベントの発生時に、前記第１ローカルボックスから前記共有要求バナー、及び前記共有要求バナーが共有される第２ローカルボックスのローカルボックスコードを含む共有要求を受信する共有要求受信モジュールと、
前記共有要求受信モジュールが前記共有要求を受信する場合、前記データベースモジュールから、前記第１ローカルボックスに提供する前記共有要求バナー広告を検索する検索モジュールと、
前記データベースモジュールから前記検索モジュールが検索した前記共有要求バナー広告を、前記共有要求受信モジュールが受信した前記ローカルボックスコードに応じて前記第２ローカルボックスに提供する広告提供モジュールと、
を含むことをその構成上の特徴とする。
【００１０】
好ましくは、前記広告提供モジュールは、前記ローカルボックスからバナー広告を選択するとき、前記バナー広告に対するリンクページを提供することができる。
【００１１】
さらに好ましくは、前記共有要求イベントは、前記リンクページで発生することができる。
【００１２】
好ましくは、前記共有要求バナー広告に対する共有要求を承認する共有要求承認モジュールをさらに含むことができる。
【００１３】
好ましくは、前記広告提供モジュールは、前記第２ローカルボックスに提供するバナー広告が前記共有要求バナー広告に該当するか否かを表示することができる。
【００１４】
好ましくは、前記広告提供モジュールは、前記共有要求バナー広告が共有された回数を表示することができる。
【００１５】
好ましくは、前記データベースモジュールは、前記第１ローカルボックスに表示されるバナー広告の中から選ばれる少なくとも一つのバナー広告を含むブックマークを格納することができる。
【００１６】
さらに好ましくは、前記共有要求バナー広告は、前記データベースモジュールのブックマークに含まれているバナー広告の中から選択できる。
【００１７】
さらに好ましくは、前記ブックマークは、予め設定されたローカルボックスコードをさらに含むことができる。
【００１８】
好ましくは、前記データベースモジュールは、広告主の位置と独立的な前記バナー広告の基準位置をさらに格納することができる。
【発明の効果】
【００１９】
本発明で提案しているローカルボックス事業者間のバナー広告の共有が可能なローカルボックス広告サービスシステムによれば、それぞれのローカルボックス事業者間でバナー広告の共有が行われる。これにより、ローカルボックスに表示されるバナー広告を容易に管理することができ、バナー広告の共有を介して複数のローカルボックスにバナー広告が表示されて広告効果を高めることができる。
【００２０】
また、本発明で提案しているローカルボックス事業者間のバナー広告の共有が可能なローカルボックス広告サービスシステムによれば、一つのプラットフォーム上でローカルボックス間で同じ出力フォーマットのバナー広告の共有が行われる。これにより、広告主の立場ではバナー広告をそれぞれのローカルボックスの出力フォーマットに合わせて修正する必要がなく、ローカルボックス事業者の立場でもローカルボックスに表示されるバナー広告を簡単に選択することができる。
【図面の簡単な説明】
【００２１】
【図１】本発明の一実施形態に係るローカルボックス事業者間のバナー広告の共有が可能なローカルボックス広告サービスシステムの構成を示す図である。
【図２】本発明の一実施形態に係るローカルボックス事業者間のバナー広告の共有が可能なローカルボックス広告サービスシステムにおけるサービス提供サーバの構成を示す図である。
【図３】本発明の一実施形態に係るローカルボックス事業者間のバナー広告の共有が可能なローカルボックス広告サービスシステムで設定された基準位置を例示する図である。
【図４】本発明の一実施形態に係るローカルボックス事業者間のバナー広告の共有が可能なローカルボックス広告サービスシステムでローカルボックスに表示されるバナー広告を例示する図である。
【図５】本発明の一実施形態に係るローカルボックス事業者間のバナー広告の共有が可能なローカルボックス広告サービスシステムで第１ローカルボックスから第２ローカルボックスへとバナー広告が共有される様子を示す図である。
【図６】本発明の一実施形態に係るローカルボックス事業者間のバナー広告の共有が可能なローカルボックス広告サービスシステムにおけるリンクページを示す図である。
【図７】本発明の一実施形態に係るローカルボックス事業者間のバナー広告の共有が可能なローカルボックス広告サービスシステムで共有要求を承認する過程を示す図である。
【図８】本発明の一実施形態に係るローカルボックス事業者間のバナー広告の共有が可能なローカルボックス広告サービスシステムでバナー広告の共有か否かと共有回数が表示された様子を示す図である。
【図９】本発明の一実施形態に係るローカルボックス事業者間のバナー広告の共有が可能なローカルボックス広告サービスシステムでブックマークから共有要求バナー広告を選択する様子を示す図である。
【発明を実施するための形態】
【００２２】
以下、添付図面を参照して、本発明の属する技術分野における通常の知識を有する者が本発明を容易に実施し得るように、好適な実施形態を詳細に説明する。ただし、本発明の好適な実施形態を詳細に説明するにあたり、関連した公知の機能または構成についての具体的な説明が本発明の要旨を不明確にするおそれがあると判断された場合には、その詳細な説明を省略する。また、同様の機能及び作用をする部分については、図面全体にわたって同一または類似の符号を使用する。
【００２３】
また、明細書全体において、ある部分が他の部分に「連結」されているとするとき、これは「直接的に連結」されている場合だけではなく、それらの間に別の要素を挟んで「間接的に連結」されている場合も含む。また、ある構成要素を「含む」というのは、特別にな記載がない限り、他の構成要素を除外するのではなく、他の構成要素をさらに含むことができるということを意味する。
【００２４】
図１は本発明の一実施形態に係るローカルボックス事業者間のバナー広告の共有が可能なローカルボックス広告サービスシステムの構成を示す図である。図１に示すように、本発明の一実施形態に係るローカルボックス事業者間のバナー広告の共有が可能なローカルボックス広告サービスシステムは、第１ローカルボックス２１０及び第２ローカルボックス２２０を含むローカルボックス２００に、バナー広告を提供するローカルボックス広告サービスシステムにおいて、サービス提供サーバ１００を含むことができ、第１ローカルボックス２１０及び第２ローカルボックス２２０をさらに含むことができる。
【００２５】
サービス提供サーバ１００は、に、第１ローカルボックス２１０及び第２ローカルボックス２２０を含むローカルボックス２００に、バナー広告を提供することができる。ここで、サービス提供サーバ１００がローカルボックス２００にバナー広告を提供するというのは、ローカルボックス２００に表示されるバナー広告に対するデータを、ネットワークを介して、ローカルボックス２００に送信することを意味する。また、サービス提供サーバ１００は、第１ローカルボックス２１０に表示されるバナー広告を第２ローカルボックス２２０に表示するバナー広告共有サービスを、提供することができる。このとき、バナー広告を共有するというのは、第１ローカルボックス２１０に提供するバナー広告を第２ローカルボックス２２０にも提供することを意味する。
【００２６】
ローカルボックス２００は、サービス提供サーバ１００にバナー広告要求を送信することができる。ここで、ローカルボックス２００は、ネットワークを介して、サービス提供サーバ１００とデータを送受信することができる。したがって、ローカルボックス２００は、サービス提供サーバ１００から、バナー広告に対するデータを受信して、バナー広告を出力することができる。一方、ネットワークを介してサービス提供サーバ１００とデータを送受信し、バナー広告を出力することができるオブジェクト（Ｏｂｊｅｃｔ）であれば、その具体的な種類に関係なく、ローカルボックス２００に含まれ得る。
【００２７】
一方、実施形態によっては、ローカルボックス２００は、電子的に実現される仮想ローカルボックスであってもよい。仮想ローカルボックスは、選択イベントの発生時に、仮想ローカルボックスに含まれているバナー広告を出力することができる。ここで、選択イベントは、仮想ローカルボックスが出力されるデバイスに応じて、ＰＣの場合にはクリック、モバイルデバイスの場合にはタッチイベントであり得る。すなわち、選択イベントは、ユーザー（需要者）が特定の仮想ローカルボックスを選択した場合に発生するイベントである。
【００２８】
ローカルボックス２００は、第１ローカルボックス２１０及び第２ローカルボックス２２０を含むことができる。このとき、第１ローカルボックス２１０及び第２ローカルボックス２２０は、互いに異なるローカルボックス事業者によって個別的に運営できる。よって、第１ローカルボックス２１０及び第２ローカルボックス２２０は、サービス提供サーバ１００から互いにバナー広告を受信して表示することができる。以下では、用語「ローカルボックス２００」は、第１ローカルボックス２１０及び第２ローカルボックス２２０を含む概念として使用できる。また、第２ローカルボックス２２０は、第１ローカルボックス２１０からバナー広告の共有を受けることができるローカルボックス２００を全て含む概念として使用できる。
【００２９】
広告主デバイス（図示せず）は、ネットワークを介してサービス提供サーバ１００とデータを送受信することができるデバイスであって、サービス提供サーバ１００にバナー広告に関する情報を提供することができる。つまり、サービス提供サーバ１００は、広告主デバイスからバナー広告に関する情報の入力を受けて格納することができる。ここで、バナー広告に関する情報は、後述するバナー広告として表示されるコンテンツ及びバナー広告の基準位置を含むことができる。
【００３０】
一方、本発明において、ネットワークは、ローカルエリアネットワーク（Ｌｏｃａｌ  Ａｒｅａ  Ｎｅｔｗｏｒｋ；ＬＡＮ）、ワイドエリアネットワーク（Ｗｉｄｅ  Ａｒｅａ  Ｎｅｔｗｏｒｋ；ＷＡＮ）、付加価値通信網（Ｖａｌｕｅ  Ａｄｄｅｄ  Ｎｅｔｗｏｒｋ；ＶＡＮ）などの有線ネットワーク、及び移動通信網（Ｍｏｂｉｌｅ  Ｒａｄｉｏ  Ｃｏｍｍｕｎｉｃａｔｉｏｎ  Ｎｅｔｗｏｒｋ）、衛星通信システム、ＷＩＢＲＯ（Ｗｉｒｅｌｅｓｓ  Ｂｒｏａｄｂａｎｄ  Ｉｎｔｅｒｎｅｔ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などの全種類の無線ネットワークを含むことができる。
【００３１】
図２は本発明の一実施形態に係るローカルボックス事業者間のバナー広告の共有が可能なローカルボックス広告サービスシステムにおけるサービス提供サーバ１００の構成を示す図である。図２に示すように、サービス提供サーバ１００は、データベースモジュール１１０、共有要求受信モジュール１２０、検索モジュール１３０及び広告提供モジュール１４０を含み、共有要求承認モジュール１５０をさらに含むことができる。以下、本発明の一実施形態に係るローカルボックス事業者間のバナー広告の共有が可能なローカルボックス広告サービスシステムにおけるサービス提供サーバ１００のそれぞれの構成について詳細に説明する。
【００３２】
データベースモジュール１１０は、ローカルボックス２００にバナー広告として表示されるコンテンツ及びローカルボックスコードの入力を受けて格納することができる。データベースモジュール１１０は、実施形態によっては、広告主の位置と独立的なバナー広告の基準位置とローカルボックスの位置をさらに格納することもできる。より具体的には、データベースモジュール１１０は、広告主デバイスから入力したバナー広告として表示されるコンテンツを格納する役割を果たすことができる。ここで、コンテンツは、文字、イメージ、音及び動画像などを含むデータであり得る。ローカルボックスコードは、ローカルボックス２００ごとに固有に付与されるコードであって、それぞれのローカルボックスの区分に使用できる。実施形態によっては、ローカルボックスコードは、ユーザーが任意に生成するコードであってもよい。よって、サービス提供サーバ１００は、ローカルボックスコードを介してローカルボックス２００を特定し、特定されたローカルボックス２００にバナー広告を提供することができる。ローカルボックスの位置については後述する。
【００３３】
一方、基準位置は、後述する優先順位設定モジュールでバナー広告の優先順位を設定するために使用できる。バナー広告は、基準位置で最も高い優先順位を持つので、基準位置は、バナー広告がユーザー（需要者）に最も多く露出できる位置に該当する。このような基準位置は、広告主デバイスを介して設定でき、広告主の物理的な位置とは独立している。すなわち、広告主の物理的な位置が「Ａ」位置にあるとしても、バナー広告の基準位置を「Ｂ」に設定することができる。
【００３４】
一方、データベースモジュール１１０は、一つのバナー広告に対して複数の基準位置の入力を受けて格納することができる。バナー広告の基準位置は、広告主の物理的な位置に従属せず、複数の位置に独立して設定できる。これにより、複数の基準位置を介してバナー広告をより効果的にユーザー（需要者）に対して露出することができる。
【００３５】
優先順位設定モジュール（図示せず）は、データベースモジュール１１０に格納されたローカルボックス２００の位置と、当該ローカルボックス２００に含まれているバナー広告の基準位置との距離に応じて、優先順位を設定することができる。より具体的には、優先順位設定モジュールは、データベースモジュール１１０に格納されたバナー広告の基準位置がローカルボックス２００の位置に近い順に優先順位を設定することができる。一方、ローカルボックス２００の位置は、同じ基準位置を有する複数のバナー広告間の優先順位を調整するために、ローカルボックス２００が設置された位置を含むが、ローカルボックス２００が設置された位置ではなく、予め定められた範囲内の任意の場所であってもよい。ここで、予め定められた範囲は多様に設定できる。
【００３６】
広告提供モジュール１４０は、優先順位設定モジュールで設定された優先順位に基づいて、データベースモジュール１１０に格納されたバナー広告を整列してローカルボックス２００に提供することができる。すなわち、広告提供モジュール１４０は、優先順位が設定されたバナー広告に対するデータを、ネットワークを介してローカルボックス２００に送信することができる。ローカルボックス２００は、広告提供モジュール１４０から受信した優先順位が設定されたバナー広告に対するデータを、出力する。これにより、ユーザー（需要者）に対してバナー広告を優先順位に応じて露出することができる。
【００３７】
図３は、本発明の一実施形態に係るローカルボックス事業者間のバナー広告の共有が可能なローカルボックス広告サービスシステムで設定された基準位置を例示する図である。図４は、本発明の一実施形態に係るローカルボックス事業者間のバナー広告の共有が可能なローカルボックス広告サービスシステムでローカルボックス２００に表示されるバナー広告を例示する図である。図３に示すように、ローカルボックス２００の位置Ｌは「江南区庁」と仮定する。このとき、データベースモジュール１１０には、「江南区庁駅１番出口」を基準位置Ｒ１として設定した「ＡＬＴＳＯＦＴ」のバナー広告と、「江南区庁駅２番出口」を基準位置Ｒ２として設定した「スターバックス」及び「パリバゲット」のバナー広告と、「江南区庁駅３−１番出口」を基準位置Ｒ３として設定した「国民銀行」のバナー広告とが格納されていると、仮定する。
【００３８】
すると、優先順位設定モジュールは、それぞれのバナー広告に対してローカルボックス２００の位置Ｌ情報によって特定された「江南区庁」と基準位置Ｒ１、Ｒ２およびＲ３の距離に基づいて優先順位を設定する。図３を参照すると、「江南区庁」を基準に基準位置Ｒ１との距離が最も近いので、基準位置Ｒ１に設定された「ＡＬＴＳＯＦＴ」のバナー広告が最も高い優先順位を持つ。その次に、基準位置Ｒ３に設定された「国民銀行」のバナー広告が、基準位置Ｒ３との距離が近いので、その次の優先順位を持つ。最後に、基準位置Ｒ２に設定された「スターバックス」のバナー広告及び「パリバゲット」のバナー広告が、基準位置Ｒ２との距離が最も遠いので、その次の優先順位を持つ。
【００３９】
要約すると、優先順位設定モジュールは、基準位置Ｒ１、Ｒ３、Ｒ２の順に当該基準位置を持つバナー広告に対する優先順位を設定する。広告提供モジュール１４０は、優先順位設定モジュールで設定された優先順位に基づいて、広告バナーを整列する。これにより、ローカルボックス２００で表示されるバナー広告の順序は、図４に示す通りである。したがって、本発明の一実施形態に係るローカルボックス事業者間のバナー広告の共有が可能なローカルボックス広告サービスシステムは、基準位置との相対的な距離を基準にバナー広告に対する優先順位が設定される。これにより、ローカルボックス事業者間のバナー広告の共有が可能なローカルボックス広告サービスシステムでは、ローカルボックス２００でバナー広告に対する配置順序を決定する必要がない。また、広告バナーが追加されるとしても、当該広告バナーの基準位置に基づいて優先順位が設定されるので、配置順序を周期的に更新する必要がない。
【００４０】
図５は、本発明の一実施形態に係るローカルボックス事業者間のバナー広告の共有が可能なローカルボックス広告サービスシステムにおいて、第１ローカルボックス２１０から第２ローカルボックス２２０へとバナー広告が共有される様子を示す図である。共有要求受信モジュール１２０は、第１ローカルボックス２１０に表示されるバナー広告の中から選択される共有要求バナー広告に対する共有要求イベントの発生時に、第１ローカルボックス２１０から共有要求バナー広告及び共有要求バナーが共有される第２ローカルボックス２２０のローカルボックスコードを含む共有要求を受信することができる。ここで、共有要求バナー広告は、第２ローカルボックス２２０の事業者が第１ローカルボックス２１０に表示されるバナー広告の中から、第２ローカルボックス２２０と共有するために選択したバナー広告を意味する。
【００４１】
すなわち、第２ローカルボックス事業者が第１ローカルボックス２１０から共有要求バナーを選択し、第２ローカルボックス２２０のローカルボックスコードを入力すると、共有要求受信モジュール１２０は、第１ローカルボックス２１０から共有要求バナー広告及び第２ローカルボックス２２０のローカルボックスコードを受信することができる。ここで、ローカルボックスコードは、共有要求バナー広告を共有するローカルボックス２００、すなわち第２ローカルボックス２２０を特定することに使用できる。
【００４２】
検索モジュール１３０は、共有要求受信モジュール１２０が共有要求を受信する場合、データベースモジュール１１０の中から、第１ローカルボックス２１０に提供する共有要求バナー広告を検索することができる。これは、第１ローカルボックス２１０に表示されるバナー広告が、サービス提供サーバ１００のデータベースモジュール１１０に格納されたバナー広告であるためである。検索モジュール１３０は、ローカルボックス２００の間で共有される共有要求バナー広告をデータベースモジュール１１０から検索して、当該共有要求バナー広告を第１ローカルボックス２１０及び第２ローカルボックス２２０にそれぞれ個別に格納せず、データベースモジュール１１０で一元的に管理するようにすることができる。
【００４３】
広告提供モジュール１４０は、データベースモジュール１１０から検索モジュール１３０が検索した共有要求バナー広告を、共有要求受信モジュール１２０が受信したローカルボックスコードに基づいて、第２ローカルボックス２２０に提供することができる。広告提供モジュール１４０が、検索モジュール１３０で検索した共有要求バナーに対するデータを第１ローカルボックス２１０及び第２ローカルボックス２２０に送信することにより、共有要求バナー広告は第１ローカルボックス２１０及び第２ローカルボックス２２０の両方に表示できる。したがって、図５に示すように、共有要求バナー広告は、第１ローカルボックス２１０から、ローカルボックスコードによって特定される第２ローカルボックス２２０へと共有でき、共有要求バナーが第１ローカルボックス２１０及び第２ローカルボックス２２０の両方に表示できる。
【００４４】
図６は、本発明の一実施形態に係るローカルボックス事業者間のバナー広告の共有が可能なローカルボックス広告サービスシステムにおけるリンクページを示す図である。図６に示すように、広告提供モジュール１４０は、ローカルボックス２００からバナー広告を選択するとき、バナー広告に対するリンクページを提供することができる。ここで、リンクページは、当該バナー広告に対する詳細コンテンツを含むことができる。リンクページは、データベースモジュール１１０に格納されるか、或いは別途のウェブページ（Ｗｅｂｐａｇｅ）に接続され得る。また、リンクページは、別途のウィンドウ（Ｗｉｎｄｏｗ）へ提供されることにより、ユーザー（需要者）にアピールすることができる様々な詳細コンテンツを含むことができる。よって、ユーザー（需要者）がローカルボックス２００からバナー広告を選択した場合、広告提供モジュール１４０は、ユーザー（需要者）に該当バナー広告に対する詳細情報を提供することができる。
【００４５】
一方、共有要求イベントは、リンクページで発生させることができる。または、実施形態によっては、共有要求イベントは、バナー広告に表示される共有ボタンを選択するイベントによって発生させることができる。好ましくは、このような共有ボタンはリンクページに挿入されてもよい。ところが、共有要求イベントは、前述した実施形態に限定されるものではなく、バナー広告を共有しようとする共有要求を発生させることができるイベントであれば、その具体的な実施形態に限定されない。
【００４６】
図７は、本発明の一実施形態に係るローカルボックス事業者間のバナー広告の共有が可能なローカルボックス広告サービスシステムで共有要求を承認する過程を示す図である。図７を参照すると、共有要求承認モジュール１５０は、共有要求バナー広告に対する共有要求を承認することができる。第２ローカルボックス２２０の事業者が、第１ローカルボックス２１０に表示されるバナー広告に対する共有を要求する場合、バナー広告の共有に対する許可が要求できる。これは、バナー広告またはバナー広告のコンテンツに応じて、第３者が不正にバナー広告を共有することを防止するためである。共有要求承認モジュール１５０は、共有要求受信モジュール１２０が共有要求を受信する場合、第１ローカルボックス２１０事業者から承認を得て当該共有要求を承認または拒否することができる。
【００４７】
共有要求承認モジュール１５０が共有要求を承認する場合、検索モジュール１３０及び広告提供モジュール１４０を介して、共有要求バナー広告が第１ローカルボックス２１０から第２ローカルボックス２２０へと共有され得る。ところが、共有要求承認モジュール１５０が共有要求を拒否する場合、共有要求バナー広告が第１ローカルボックス２１０から第２ローカルボックス２２０へと共有されない。
【００４８】
実施形態によっては、共有要求承認モジュール１５０の承認か拒否かは、第１ローカルボックス２１０事業者がサービス接続サーバへの接続時に共有要求バナー広告に対する共有要求承認か否かを要求して応答を受信することにより決定できる。このとき、共有要求受信モジュール１２０が第１ローカルボックス２１０から共有要求バナー広告及び第２ローカルボックス２２０のローカルボックスコードを受信することができる。このため、第１ローカルボックス２１０事業者は、第２ローカルボックス２２０に対する情報を確認し、承認か否かを決定することができる。よって、第１ローカルボックス２１０事業者が共有要求バナー広告に対する共有を所望しない場合、共有要求バナー広告が共有されなくてもよい。
【００４９】
図８は、本発明の一実施形態に係るローカルボックス事業者間のバナー広告の共有が可能なローカルボックス広告サービスシステムでバナー広告の共有か否かと共有回数が表示された様子を示す図である。図８に示すように、広告提供モジュール１４０は、第２ローカルボックス２２０に提供するバナー広告が共有要求バナー広告に該当するか否かを表示することができる。すなわち、広告提供モジュール１４０は、共有要求バナー広告が共有される場合、データベースモジュール１１０に格納されたバナー広告を第１ローカルボックス２１０に提供し、当該バナー広告が共有される第２ローカルボックス２２０には共有されたバナー広告であることを表示して提供することができる。したがって、第２ローカルボックス２２０に表示される共有要求バナー広告は、ユーザー（需要者）が共有されたバナー広告であることを一目で確認することができる。また、バナー広告が、共有要求バナー広告、すなわち共有されたバナー広告であることを表示し、共有回数を表示することにより、当該バナー広告に対する広告効果をより一層高めることができる。これは、バナー広告に対する共有回数が高いほど、ユーザー（需要者）の関心を刺激することができるためである。
【００５０】
図９は、本発明の一実施形態に係るローカルボックス事業者間のバナー広告の共有が可能なローカルボックス広告サービスシステムでブックマークから共有要求バナー広告を選択する様子を示す図である。図９に示すように、データベースモジュール１１０は、第１ローカルボックス２１０に表示されるバナー広告の中で選択される少なくとも一つのバナー広告を含むブックマークを、格納することができる。第２ローカルボックス２２０事業者が、第１ローカルボックス２１０に表示されるバナー広告の中からお気に入りのバナー広告がある場合、直ちに共有を要求しなくても、当該バナー広告を別途格納しておく必要がある。このとき、データベースモジュール１１０が当該バナー広告をブックマークに格納することにより、第２ローカルボックス２２０事業者は、データベースモジュール１１０のブックマークを介して、何時でも再び当該バナー広告を確認することができる。
【００５１】
このとき、共有要求バナー広告は、データベースモジュール１１０のブックマークに含まれているバナー広告の中から選択できる。すなわち、第２ローカルボックス２２０事業者は、データベースモジュール１１０のブックマークに含まれているバナー広告のいずれかを選択して、当該バナー広告に対する共有を要求することができる。よって、第２ローカルボックス２２０事業者は、ブックマークに含まれているバナー広告の中から、第２ローカルボックス２２０に共有されるバナー広告を容易に選択することができ、ブックマークに含まれている複数のバナー広告を互いに比較して選択することができる。
【００５２】
このとき、ブックマークは、予め設定されたローカルボックスコードをさらに含むことができる。よって、ブックマークに含まれているバナー広告に対する共有を要求すると、別にローカルボックスコードを入力することなく、ブックマークに含まれているローカルボックスコードを介して共有要求が生成できる。ここで、予め設定されたローカルボックスコードは、第２ローカルボックス事業者が何時でも修正することができる。
【００５３】
前述したように、本発明で提案しているローカルボックス事業者間のバナー広告の共有が可能なローカルボックス広告サービスシステムによれば、それぞれのローカルボックス事業者間でバナー広告の共有が行われる。これにより、ローカルボックスに表示されるバナー広告を容易に管理することができ、バナー広告の共有を介して複数のローカルボックスにバナー広告が表示されて広告効果を高めることができる。また、本発明で提案しているローカルボックス事業者間のバナー広告の共有が可能なローカルボックス広告サービスシステムによれば、一つのプラットフォーム上においてローカルボックス間で同じ出力フォーマットのバナー広告の共有が行われることにより、広告主の立場ではバナー広告をそれぞれのローカルボックスの出力フォーマットに合わせて修正する必要がなく、ローカルボックス事業者の立場でもローカルボックスに表示されるバナー広告を簡単に選択することができる。
【００５４】
以上説明した本発明は、本発明の属する技術分野における通常の知識を有する者によって様々な変形及び応用が可能であり、本発明に係る技術的思想の範囲は、以下の特許請求の範囲によって定められるべきである。
【符号の説明】
【００５５】
Ｌ    ローカルボックスの位置
Ｒ１    基準位置
Ｒ２    基準位置
Ｒ３    基準位置
Ｒ４    基準位置
１００    サービス提供サーバ
１１０    データベースモジュール
１２０    共有要求受信モジュール
１３０    検索モジュール
１４０    広告提供モジュール
１５０    共有要求承認モジュール
２００    ローカルボックス
２１０    第１ローカルボックス
２２０    第２ローカルボックス
【図１】
2021502642.tif 000003
【図２】
2021502642.tif 000004
【図３】
2021502642.tif 000005
【図４】
2021502642.tif 000006
【図５】
2021502642.tif 000007
【図６】
2021502642.tif 000008
【図７】
2021502642.tif 000009
【図８】
2021502642.tif 000010
【図９】
2021502642.tif 000011
【国際調査報告】
2021502642.tif 000012
2021502642.tif 000013
2021502642.tif 000014
2021502642.tif 000015